(57)【要約】【課題】薄紙や繊維布帛等の記録媒体の搬送時には搬送補助具に確実に、かつ容易に粘着して確実に搬送し、画像形成後に記録媒体を搬送補助具から分離するときに粘着力が無く簡単に剥離でき、カールの発生や、裏滲みも発生しない搬送補助具及びそれを使用して分離し個別に排出する記録装置を提供する。【解決手段】記録媒体５を保持するための、基材２上に粘着剤３を有する搬送補助具１を使用する記録装置において、前記粘着剤３の粘着力が可変であり、前記搬送補助具１と前記記録媒体５は、画像形成後、互いに分離して個別の排紙通路１４、１５に排出される。【選択図】図６
2007185849.tif 000002
【特許請求の範囲】
【請求項１】
記録媒体を保持するための基材上に粘着剤を有する搬送補助具を使用する記録装置において、前記粘着剤の粘着力が可変であり、前記搬送補助具と前記記録媒体は、画像形成後、互いに分離して個別の排紙通路に排出されることを特徴とする記録装置。
【請求項２】
前記搬送補助具は、前記粘着剤として、加熱又は冷却を行うことで粘着剤の粘着力が変わる感温性粘着剤を使用することを特徴とする請求項１記載の記録装置。
【請求項３】
前記搬送補助具は、前記粘着剤として、加熱により粘着力が非粘着状態になる常温型感温性粘着剤を使用することを特徴とする請求項１又は２記載の記録装置。
【請求項４】
前記搬送補助具は、前記粘着剤に吸水特性を付与していることを特徴とする請求項１乃至３のいずれか１項記載の記録装置。
【請求項５】
前記搬送補助具に保持されて搬送される前記記録媒体は、画像形成後に、前記搬送補助具から分離され、分離された記録媒体及び搬送補助具を排出するそれぞれの排紙通路を備えていることを特徴とする請求項１記載の記録装置。
【請求項６】
加熱により前記搬送補助具の粘着力を非粘着とし、前記記録媒体を吸引により前記搬送補助具と前記記録媒体を分離して前記個別の排紙通路に排出することを特徴とする請求項５記載の記録装置。
【請求項７】
通紙された記録媒体を個別の排紙通路を選択して排出することを特徴とする請求項５又は６の記載の記録装置。
【請求項８】
前記個別の排紙通路を選択する場合、前記記録媒体の吸引の有無により行うことを特徴とする請求項７記載の記録装置。
【請求項９】
前記個別の排紙通路を選択する場合、可動の通路切り換えガイドの切り換え動作により行うことを特徴とする請求項７記載の記録装置。
【請求項１０】
請求項５乃至９のいずれか１項記載の記録装置はインクジェット方式であることを特徴とする記録装置。
【発明の詳細な説明】
【技術分野】
【０００１】
本発明は、薄紙や繊維布帛を搬送するのに搬送補助具を使用する記録装置、特に、インクジェット方式の記録装置に関するものである。
【背景技術】
【０００２】
近年、インクジェット方式等の記録装置には、記録媒体として紙、ＰＥＴやポリ塩化ビニールなどのプラスチックシート、合成紙、繊維布帛などを使用し、用途によって多種多様なニーズがある。
しかし、記録媒体の搬送性の問題やインクの裏抜けなどの問題から薄紙などの記録媒体やその腰が無い繊維布帛等の記録媒体はそのまま使用できない状況にある。このため、これらの問題を解決する技術が種々提案されている（例えば、特許文献１乃至３参照）。
【０００３】
特許文献１では、記録装置側では薄紙の吸着ベルトからの分離性向上策として吸着力を弱くする等の技術が開示されている。これはあくまで使用可能制限内の薄紙であり制限外の薄紙を対象としていない。また、吸着力を紙種によって異ならせることは制御も複雑になり、コスト高となる。
このように記録媒体には制約条件が課されており、例えば、インクジェット方式における記録装置では記録媒体としての記録用紙の坪量はおおむね６０ｇ／ｍ2〜１３０ｇ／ｍ2程度に制限されており、６０ｇ／ｍ2以下の記録用紙では直接通紙して画像を形成することができない。
また、カットサイズの繊維布帛等は使用できず、繊維布帛専用の記録装置によりロール上の繊維布帛を粘着剤付きの搬送ベルトに繰り出しかつ貼り付けて連続的に画像を形成している。このような問題を解決するために従来厚手の記録用紙やＰＥＴフィルム上に薄紙や繊維布帛を貼り付けて画像を形成している。
【０００４】
しかし、画像形成後を考えると、薄紙では引き剥すとカールを起こし、繊維布帛では、繊維が伸びて画像を劣化、変形させる、また、繊維の隙間を通って裏移りを起こすなどの問題が起きる。このような問題を解決するために、特許文献２では、繊維布帛の先端に先端シートを剥離性の接着剤で取り付ける技術を提案している。
しかし、剥離性を重視した接着剤では接着力が弱いので確実な固定ができず搬送中に剥離してジャムを起こしてしまう。搬送性を重視して逆に接着力が強すぎると、繊維布帛を分離する時に繊維布帛が変形すると言う問題が残る。
また、特許文献３では、薄紙や繊維布帛の接着力を或る範囲に規制した補助部材に貼り付けて搬送のための接着力と、分離時の剥離力を両立させる技術が開示されている。
【特許文献１】特開２００３−２０５６５７公報
【特許文献２】特開２００１−２７０６２８公報
【特許文献３】特開２０００−２５５８１４公報
【発明の開示】
【発明が解決しようとする課題】
【０００５】
しかしながら、搬送性や裏移りの課題が解消しても薄紙を粘着面に貼り付ける時にしわになり均一な貼り付けが困難であり、また薄紙の剥離時におけるカールの発生を改善することができないという課題が残る。さらに、記録装置内にて接着された薄紙や繊維布帛を分離する手段が開示されておらず、排出されてから手動にて剥離する必要がある。
そこで、本発明の目的は、上述した実情を考慮して、薄紙や繊維布帛等の記録媒体の搬送時には搬送補助具に確実に、かつ容易に粘着して確実に搬送し、画像形成後に記録媒体を搬送補助具から分離するときに粘着力が無く簡単に剥離でき、カールの発生や、裏滲みも発生しない搬送補助具及びそれを使用して分離し個別に排出する記録装置を提供することにある。
【課題を解決するための手段】
【０００６】
上記の課題を解決するために、請求項１に記載の発明は、記録媒体を保持するための、基材上に粘着剤を有する搬送補助具を使用する記録装置において、前記粘着剤の粘着力が可変であり、前記搬送補助具と前記記録媒体は、画像形成後、互いに分離して個別の排紙通路に排出される記録装置を特徴とする。
また、請求項２に記載の発明は、前記搬送補助具が、前記粘着剤として、加熱又は冷却を行うことで粘着剤の粘着力が変わる感温性粘着剤を使用する請求項１記載の記録装置を特徴とする。
また、請求項３に記載の発明は、前記搬送補助具が、前記粘着剤として、加熱により粘着力が非粘着状態になる常温型感温性粘着剤を使用する請求項１又は２記載の記録装置を特徴とする。
【０００７】
また、請求項４に記載の発明は、前記搬送補助具が、前記粘着剤に吸水特性を付与している請求項１乃至３のいずれか１項記載の記録装置を特徴とする。
また、請求項５に記載の発明は、前記搬送補助具に保持されて搬送される前記記録媒体は、画像形成後に、前記搬送補助具から分離され、分離された記録媒体及び搬送補助具を排出するそれぞれの排紙通路を備えている請求項１記載の記録装置を特徴とする。
また、請求項６に記載の発明は、加熱により前記搬送補助具の粘着力を非粘着とし、前記記録媒体を吸引により前記搬送補助具と前記記録媒体を分離して前記個別の排紙通路に排出する請求項５記載の記録装置を特徴とする。
【０００８】
また、請求項７に記載の発明は、通紙された記録媒体を個別の排紙通路を選択して排出する請求項５又は６の記載の記録装置を特徴とする。
また、請求項８に記載の発明は、前記個別の排紙通路を選択する場合、前記記録媒体の吸引の有無により行う請求項７記載の記録装置を特徴とする。
また、請求項９に記載の発明は、前記個別の排紙通路を選択する場合、可動の通路切り換えガイドの切り換え動作により行う請求項７記載の記録装置を特徴とする。
また、請求項１０に記載の発明は、請求項５乃至９のいずれか１項記載の記録装置はインクジェット方式である記録装置を特徴とする。
【発明の効果】
【０００９】
本発明によれば、搬送補助具の粘着剤の粘着力を可変にすることで薄紙や布帛等の取り付け時には粘着力を非粘着状態にして取り付け位置ずれや皺等の不具合を防止し、記録装置へ通紙時には粘着力を発現させることでジャム等の不具合を防止することができる。また、取り外し時にも非粘着状態にすることでカールや伸びや縮を防止して薄紙や布帛等を取り出すことができる。
さらに、本発明によれば、薄紙や繊維布帛等の記録媒体を搬送補助具に取り付けて記録装置に通紙し、搬送補助具と薄紙や繊維布帛等の記録媒体を分離し個別の排紙通路に排出することで自動的に分離でき、排出後に分離する必要がなく作業効率が向上する。
【発明を実施するための最良の形態】
【００１０】
以下、図面を参照して、本発明の実施の形態を詳細に説明する。図１は本発明による搬送補助具の構成を示す概略図である。図１において、搬送補助具１の基材２は紙やＰＥＴ、ポリイミド等合成樹脂のフィルムからなる。これらは記録装置の使用可能記録媒体の許容範囲に適合する材質や仕様からなり、その表面に感温性粘着剤３が塗布されている。
図２は常温型感温性粘着剤の粘着力−温度特性を示す図である。感温性粘着剤３として常温粘着力発現、高温にて非粘着力タイプ感温性粘着剤（以下、常温型感温性粘着剤と称す）を用いている。粘着剤の粘着力を可変する材料として感温性粘着剤を使用することで加熱、冷却等により簡単に粘着力を変更できる。
【００１１】
粘着力は粘着力変極温度ＴＣを境に大きく変化し粘着力変極温度ＴＣより高温であるＴＨが１０℃≦ＴＨ−ＴＣであれば、粘着力はＰＬとなり、ほとんど粘着力を示さない程度の最小の粘着力となる。なお、本明細書では粘着力を示さない程度の粘着力を含めて非粘着と称している。
また、粘着力変極温度ＴＣより低温であるＴＬの時は１０℃≦ＴＣ−ＴＬであれば、粘着力はＰＨとなり最大の粘着力を示す程度の粘着力となる。ＴＨ−１０℃＜ＴＣ＜ＴＬ＋１０℃の範囲のＴＨ、ＴＬでは粘着力の発現の過渡領域であり、粘着力不安定領域である。
さらに、粘着力変極温度ＴＣは感温性粘着剤３（図１）の材料配合等を変えることで自由に設定することが可能である。本発明では、通常、記録装置の使用環境は４０℃以下が主であることからＴＣ＝５０℃、ＴＬ＝２５℃、ＴＨ＝７０℃を採用した。
加熱により粘着力が非粘着状態になる常温型感温性粘着剤を使用することで常温では薄紙や繊維布帛は搬送補助具と強い粘着力により一体化しており、インクジェット記録方式などの常温で作動するプロセスを有する記録装置では通紙等を確実に行うことができる。
【００１２】
本発明で適用した感温性粘着剤３の粘着力発現のメカニズム、材料に関しては特許第３２０４４５５号や特許第３３８７４９７号、特開平９−２４９８５８号公報、特開平９−２４９８６０号公報に詳細に開示されており、そのような感温性粘着剤３は本発明の搬送補助具１には好適である。
また、感温性粘着剤３には、裏滲み対策としてシリカ、アルミナ、ポリアクリル酸、ポリビニールピロリドン等の吸水剤を添加してもよい。次に、搬送補助具１の使用方法を図で説明する。
【００１３】
図３は本発明による搬送補助具の使用方法を説明する概略図である。図２及び図３を参照して、ホットプレート４の温度設定を高温ＴＨにし、加熱面４ａをＴＨに加熱する。高温ＴＨに維持されている加熱面４ａに搬送補助具１の常温型感温性粘着剤３Ｌ面を表面にして設置する。
搬送補助具１が加熱されて低温ＴＬ→粘着力変極温度ＴＣ→高温ＴＨと変化するのに伴い、常温型感温性粘着剤３Ｌの粘着力は高粘着力ＰＨ→低粘着力ＰＬと変化し非粘着力となる。粘着力が低粘着力ＰＬと非粘着力状態になった常温型感温性粘着剤３Ｌ上に薄紙や繊維布帛等の記録媒体５（以下、薄紙と称す）を重ねる。
この時、常温型感温性粘着剤３Ｌは非粘着状態にあり、搬送補助具１と薄紙５の位置合わせを容易に行うことができる。位置合わせが済んだらホットプレート４から取り外し常温で放置するか、ホットプレート４の設定温度をＴＬ以下に設定し、ＴＬ温度以下になるのを待つか、ホットプレート４の電源をオフにして自然冷却を行い、ＴＬ以下になるまで放置すればよい。
【００１４】
図４は図３の搬送補助具の使用方法によって作成した記録媒体を示す概略図である。搬送補助具１の常温型感温性粘着剤３Ｌ（図３）の温度が、図２に示すように、低温ＴＬ→粘着力変極温度ＴＣ→高温ＴＨと変化するに従い、粘着力が低粘着力ＰＬ→高粘着力ＰＨと発現し、薄紙５をしわやスキュー等がなく図４に示すように均一に密着し一体化した一体化記録媒体６を形成する。
一体化された記録媒体６はあたかも１枚の記録媒体のように搬送などで扱うことができる。一体化記録媒体６をインクジェット方式などの記録装置に通紙して薄紙５上に画像を形成し排出する。
常温型感温性粘着剤３Ｌに吸水剤を添加してあれば、薄紙５における繊維の隙間を通過したインクは常温型感温性粘着剤３Ｌに配合された吸水剤に吸収されて薄紙５の裏面を汚す裏滲みにはならない。
粘着剤３に吸水剤等の吸水作用を付与することで薄紙や繊維布帛の繊維の隙間から漏れたインクを搬送補助具の粘着剤が吸収して薄紙や繊維布帛の裏汚れを防止できる。
【００１５】
図５は画像を記録された一体化記録媒体をホットプレート上に乗せている状態を示す概略平面図である。図３乃至図５を参照して、図５に示すように画像を記録された一体化記録媒体６を、再度、高温ＴＨ（図２）に加熱されているホットプレート４上に乗せる。
搬送補助具１は、加熱されて低温ＴＬ→粘着力変極温度ＴＣ→高温ＴＨと変化するのに伴い、常温型感温性粘着剤３Ｌの粘着力は高粘着力ＰＨ→低粘着力ＰＬと変化し非粘着力状態になる。このような状態で薄紙５を矢印方向に搬送補助具１から分離する。
搬送補助具１の常温型感温性粘着剤３Ｌは非粘着状態なので容易に分離できてカールなどが発生せず所望の画像を薄紙５に形成することができる。再度、薄紙５に画像を形成する時には、ホットプレート４上に保持されている搬送補助具１上に薄紙５を重ねて位置合わせを行い、前述の動作を繰り返せばよく、搬送補助具１は再使用可能である。
なお、搬送補助具１の加熱方法は、ホットプレート４に限定されるものではなく、所定の温度ＴＨ以上に保たれた高温槽への挿入、ドライヤによる熱風の吹き掛け、アイロン掛けの実施でも達成されることは明白である。
【００１６】
図６は薄紙の分離機構を内蔵したインクジェット方式の記録装置の実施の形態を示す概略図である。図６では、記録装置は薄紙５（図４）の分離機構を内蔵している。
図示してない給紙コロや搬送ローラなどの搬送手段によって一体化記録媒体６が第１ガイド板８に案内されかつ記録ヘッド９部位に送られてくると決められたタイミングにおいて、少なくとも１色以上の複数の色からなるインク７が吐出されかつ一体化記録媒体６の薄紙５上に画像を形成する。
一体化記録媒体６の搬送補助具１における常温型感熱性粘着剤３Ｌ（図３）には吸水剤が配合されているため薄紙５における繊維の隙間を通過したインク７は吸収されて裏滲みが防止される。
さらに、記録ヘッド９の下流側には第１排紙ローラ１０、第２排紙ローラ１１が配置されている。排紙ローラ１０内部にはヒータ１２が配置されている。このヒータ１２の加熱により第１排紙ローラ１０を介して一体化記録媒体６は低温ＴＬ→高温ＴＨ（図２）と温度が上昇する。
このため、搬送補助具１の常温型感温性粘着剤３ＬもＴＬ→ＴＨと加熱されて粘着力もＰＨからＰＬと変化して非粘着力状態になる。従って、一体化記録媒体６の搬送補助具１と薄紙５は分離可能状態になっている。第１排紙ローラ１０、第２排紙ローラ１１の下流側には第２ガイド板１３が配置されている。
【００１７】
第２ガイド板１３には薄紙や繊維布帛等の記録媒体通路（以下、薄紙通路と称す）１４及び搬送補助具通路１５、共通通路１６が構成されており、共通通路１６上には適宜な方法で吸引ノズル１７が配置されている。なお、図中の符号１８及び１９については以下の図７乃至図９で説明する。
吸引ノズル１７は必要に応じて上下方向に移動可能である。また、上方向へのエア吸引は、吸引ノズル１７により必要に応じて可能になっている。排紙通路を選択するために上述の記録媒体を吸引する方式を採ることで新たな機構を付加することなく実現できる。次に、分離可能状態になった一体化記録媒体６が共通通路１６に入ってきて搬送補助具１と分離される様子を説明する。
薄紙や繊維布帛等の記録媒体５を搬送補助具１に取り付けた一体化記録媒体６を記録装置に通紙し、搬送補助具１と薄紙や繊維布帛等の記録媒体５を分離し、個別の排紙通路、すなわち、記録媒体排紙トレイ１８及び搬送補助具排紙トレイ１９に排出することで自動的に分離でき排出後に分離する必要がなく作業効率が向上する。
【００１８】
図７は吸引ノズルのエア吸引の状態を示す概略図である。図８は吸引ノズルがエア吸引を持続し、薄紙を保持しながら上昇している状態を示す概略図である。図９は吸引ノズルのエア吸引停止により自然落下して薄紙の先端が薄紙通路の下側ガイド上に乗り上げている状態を示す概略図である。
図７乃至図９を参照して、先ず、図７に示すように、共通通路１６に一体化記録媒体６の先端が入ってくると、吸引ノズル１７はエア吸引を行うと同時に降下し、一体化記録媒体６の薄紙５（図７）の先端部に接触する。
【００１９】
次に、図８に示すように、吸引ノズル１７はエア吸引を持続し、薄紙５を保持しながら上昇する。吸引ノズル１７の先端が薄紙通路１４の上面に達すると、吸引ノズル１７の吸引を停止するとともに、さらに上昇しかつ所定の位置で停止する。
吸引ノズル１７の吸引を停止することによって、この吸引ノズル１７に吸着されていた薄紙５の先端は自然落下する。この時、一体化記録媒体６は第１排紙ローラ１０、第２排紙ローラ１１によって搬送されているので、吸引ノズル１７のエア吸引停止により自然落下した薄紙５の先端は、図９に示すように、薄紙通路１４の下側ガイド板（第２のガイド板）１３上に乗り上げる。
第１排紙ローラ１０、第２排紙ローラ１１にて順次搬送されることによって薄紙５は薄紙通路１４を通り、薄紙や繊維布帛等の記録媒体排紙トレイ（以下、薄紙排紙トレイと称す）１８に排出される。一方、搬送補助具１は共通通路１６を通過して搬送補助具通路１５を通過し、そのまま搬送補助具排紙トレイ１９に排出される。
加熱により粘着力を非粘着状態にし、吸引力にて薄紙５や繊維布帛等の記録媒体６を分離し個別の排紙通路１８、１９に排出することによって、簡単な構成で確実に搬送補助具１と薄紙５や繊維布帛等の記録媒体６を分離し個別の排紙通路１８、１９に排出することができる。
【００２０】
図１０は一体化記録媒体を含む記録媒体を薄紙排紙トレイにソートする場合を示す概略図である。図１１はエア吸引を持続し、記録媒体を保持しながら上昇する吸引ノズルを示す概略図である。図１２は薄紙通路の下側ガイド上に乗り上げている記録媒体の先端を示す概略図である。
図１３は搬送補助具排紙トレイに記録媒体を導く場合を示す概略である。図１４はそのまま共通通路を通過して搬送補助具通路を通過して搬送補助具排紙トレイに排出される記録媒体を示す概略図である。
【００２１】
次に、第２ガイド板１３により一体化記録媒体を含む記録媒体６を図６に示す薄紙排紙トレイ１８と搬送補助具排紙トレイ１９にソートする方法を図１０乃至図１４にて説明する。
以下で、記録媒体は、本来ならば、搬送補助具１を使用しない記録媒体（薄紙、繊維布帛等）５と搬送補助具１を使用した一体化記録媒体６と区別しなければならないが、以下ではこれらを含めて記録媒体６として説明する。
なお、記録媒体６を薄紙排紙トレイ１８と搬送補助具排紙トレイ１９にソートする場合には、図１０に示すように、第１排紙ローラ１０に内蔵されているヒータ１２は通電されず、第１排紙ローラ１０は低温状態にある。
従って、一体化記録媒体６が通紙されても常温型感温性粘着剤３Ｌ（図４）は粘着力が高温ＰＨ（図２）のまま変化せず薄紙５が剥離することはない。薄紙５や繊維布帛等の記録媒体排紙トレイ１８に記録媒体６を導く場合には、図１０に示すように、共通通路１６に記録媒体６の先端が入ってくると、吸引ノズル１７のエア吸引を行うと同時に降下し、記録媒体６の先端部に接触する。
【００２２】
次に、図１１に示すように、吸引ノズル１７はエア吸引を持続し、記録媒体６を保持しながら上昇する。吸引ノズル１７の先端が薄紙通路１４の上面に達すると、吸引ノズル１７の吸引を停止するとともに、さらに上昇し所定の位置で停止する。
吸引ノズル１７の吸引を停止することによって吸引ノズル１７に吸着されていた記録媒体６の先端は自然落下する。この時、記録媒体６は第１排紙ローラ１０、第２排紙ローラ１１によって搬送されている。
このため、吸引ノズル１７のエア吸引停止により自然落下した記録媒体６の先端は、図１２に示すように、薄紙通路１４の下側ガイド（第２ガイド板）１３上に乗り上げる。第１排紙ローラ１０及び第２排紙ローラ１１によって順次搬送されることにより記録媒体６は薄紙通路１４を通り、図６の薄紙排紙トレイ１８に排出される。
【００２３】
次に、搬送補助具排紙トレイ１９に記録媒体６を導く場合には、図１３に示すように、共通通路１６に記録媒体６の先端が入ってきても吸引ノズル１７はエア吸引を行わず、しかも降下もしない。
このため、図１４に示すように、記録媒体６は、そのまま共通通路１６を通過して搬送補助具通路１５に送られ、そのままこの搬送補助具通路１５を通過して搬送補助具排紙トレイ１９に排出される。
搬送補助具１と記録媒体６を分離する必要のない時や、通常の記録媒体を使用した時に必要に応じて個別の排紙通路を選択して排出することで記録装置に仕向けごとの仕分けをするソート機能が加わり、記録装置の付加価値が向上する。
【００２４】
図１５は記録媒体を薄紙排紙トレイと搬送補助具排紙トレイにソートする他の実施の形態を示す概略図である。図１６は図１５の実施の形態において薄紙通路を通って薄紙排紙トレイにスタックする場合の円形カムの動作を説明する概略図である。図１７は通路切換ガイドがガイド支点を中心に矢印方向に回転して薄紙通路を塞いでいる状態を示す概略図である。
図１８は円形カムとカムフォロア部の位置関係を示す概略図である。図１９は薄紙通路を通って薄紙排紙トレイにスタックする場合の円形カムの動作を説明する概略図である。  図２０は搬送補助具通路を通って搬送補助具排紙トレイにスタックする場合の円形カムの動作を説明する概略図である。
【００２５】
次に、記録媒体６を図６の薄紙排紙トレイ１８と搬送補助具排紙トレイ１９にソートする他の実施の形態を図１５乃至図２０を参照して説明する。図１５に示すように、記録装置が仕事待ち状態の時には、第１排紙ローラ１０に内蔵されているヒータ１２は通電されておらず、第１排紙ローラ１０も低温ＴＬ状態（図４）にある。
第２ガイド板１３は内部に通路切り換えガイド２０を有し、ガイド支点２１を中心に回転自由に保持されている。また、ガイド支点２１より通紙の下流側に通路切り換えガイド２０の一部にカムフォロア部２２を有しており、カムフォロア部２２に円形カム２３が移動可能な状態で係合されている。
その状態での円形カム２３とカムフォロア部２２の位置関係を図１８に示している。円形カム２３は半径ｒからなり円形カム２３の中心からδ離れた位置で駆動軸２４に固定されている。
【００２６】
駆動軸２４は図示してないモータ等の駆動源による回転力を受けて円形カム２３も駆動軸２４を中心に矢印Ｃ、Ｄ方向に正逆転することができる。また円形カム２３の偏心量δ位置（カムの最大山部）Ｐは水平位置にあり、駆動軸２４の回転中心からカムフォロア部２２の通路切り換えガイド２０の上面までの距離がｒになっている。
このような状態でヒータ１２を高温ＴＨ（図４）に加熱すれば、上述したように一体化記録媒体６の画像形成、薄紙５の分離可能状態になる。薄紙通路１４、搬送補助具通路１５を使って必要に応じてソートする場合を以下に述べる。
薄紙通路１４を通って薄紙排紙トレイ１８（図６）にスタックする場合の円形カム２３の動作を図１９にて説明する。駆動軸２４は図示してない駆動源によりＣ方向（図１８）に９０°又はＤ方向に２７０°回転し、円形カム２３の偏心量δ位置（カムの最大山部）Ｐがカムフォロア部２２の通路切り換えガイド２０の上面に移動する。
駆動軸２４の回転中心からカムフォロア部２２の通路切り換えガイド２０の上面までの距離がｒ＋δになる。駆動軸２４の回転中心からカムフォロア部２２の通路切り換えガイド２０の上面までの距離が増加することにより図１６に示すように通路切り換えガイド２０はガイド支点２１を中心に矢印方向に回転し、搬送補助具通路１５を塞ぎ、薄紙通路１４のみになる。
【００２７】
記録媒体６は薄紙通路１４に導かれ、薄紙排紙トレイ１８（図６）にスタックされる。次に、搬送補助具通路１５を通って搬送補助具排紙トレイ１９（図６）にスタックする場合の円形カム２３の動作を図２０にて説明する。
駆動軸２４は図示してない駆動源により図１８の状態からであればＤ方向に９０°またはＣ方向に２７０°回転し、図１９の状態からであればＣまたはＤ方向に１８０°回転して円形カム２３の偏心量δ位置（カムの最大山部）Ｐがカムフォロア部２２の通路切り換えガイド２０の下面に移動し駆動軸２４の回転中心からカムフォロア部２２の通路切換ガイド２０の上面までの距離がｒ−Δになる。
駆動軸２４の回転中心からカムフォロア部２２の通路切り換えガイド２０の上面までの距離が減少することにより図１７に示すように通路切り換えガイド２０はガイド支点２１を中心に矢印方向に回転し薄紙通路１４を塞ぎ、搬送補助具通路１５のみになる。
【００２８】
記録媒体６は搬送補助具通路１５に導かれ、搬送補助具排紙トレイ１９にスタックされる。また、次の記録動作や搬送動作が無い時には、駆動軸２４が回転し、円形カム２３は図１８に示す位置で停止する。排紙通路を選択するために排紙通路を選択する可動の通路切り換えガイド２０を採用することで排紙通路を確実に一カ所に絞ることができ、通紙の信頼性が向上する。
本発明による記録装置にインクジェット方式を採用することによって搬送補助具１に薄紙５や布帛等の取り付け時、及び剥離時のみ加熱すればよく、加熱冷却を複数回繰り返す必要もなく無駄のない最適なシステム構成を構築することができる。
【図面の簡単な説明】
【００２９】
【図１】本発明による搬送補助具の構成を示す概略図である。
【図２】常温型感温性粘着剤の粘着力−温度特性を示す図である。
【図３】本発明による搬送補助具の使用方法を説明する概略図である。
【図４】図３の搬送補助具の使用方法によって作成した記録媒体を示す概略図である。
【図５】画像を記録された一体化記録媒体をホットプレート上に乗せている状態を示す概略平面図である。
【図６】薄紙の分離機構を内蔵したインクジェット方式の記録装置の実施の形態を示す概略図である。
【図７】吸引ノズルのエア吸引の状態を示す概略図である。
【図８】吸引ノズルがエア吸引を持続し、薄紙を保持しながら上昇している状態を示す概略図である。
【図９】吸引ノズルのエア吸引停止により自然落下して薄紙の先端が薄紙通路の下側ガイド上に乗り上げている状態を示す概略図である。
【図１０】一体化記録媒体を含む記録媒体を薄紙排紙トレイにソートする場合を示す概略図である。
【図１１】エア吸引を持続し、記録媒体を保持しながら上昇する吸引ノズルを示す概略図である。
【図１２】薄紙通路の下側ガイド上に乗り上げている記録媒体の先端を示す概略図である。
【図１３】搬送補助具排紙トレイに記録媒体を導く場合を示す概略図である。
【図１４】そのまま共通通路を通過して搬送補助具通路を通過して搬送補助具排紙トレイに排出される記録媒体を示す概略図である。
【図１５】記録媒体を薄紙排紙トレイと搬送補助具排紙トレイにソートする他の実施の形態を示す概略図である。
【図１６】図１５の実施の形態において薄紙通路を通って薄紙排紙トレイにスタックする場合の円形カムの動作を説明する概略図である。
【図１７】通路切換ガイドがガイド支点を中心に矢印方向に回転して薄紙通路を塞いでいる状態を示す概略図である。
【図１８】円形カムとカムフォロア部の位置関係を示す概略図である。
【図１９】薄紙通路を通って薄紙排紙トレイにスタックする場合の円形カムの動作を説明する概略図である。
【図２０】搬送補助具通路を通って搬送補助具排紙トレイにスタックする場合の円形カムの動作を説明する概略図である。
【符号の説明】
【００３０】
１  搬送補助具  
２  基材
３  粘着剤
５  記録媒体（薄紙）
６  一体化記録媒体
１０  第１排紙ローラ
１１  第２排紙ローラ
１２  ヒータ
１４  排紙通路（薄紙通路）
１５  排紙通路（搬送補助具通路）
１６  共通通路
１７  吸引ノズル
１８  薄紙排紙トレイ
１９  搬送補助具排紙トレイ
２０  通路切り換えガイド
２２  カムフォロア部
２３  円形カム２３
２４  駆動軸
Ｐ  偏心量δ位置（カムの最大山部）
【図１】
2007185849.tif 000003
【図２】
2007185849.tif 000004
【図３】
2007185849.tif 000005
【図４】
2007185849.tif 000006
【図５】
2007185849.tif 000007
【図６】
2007185849.tif 000008
【図７】
2007185849.tif 000009
【図８】
2007185849.tif 000010
【図９】
2007185849.tif 000011
【図１０】
2007185849.tif 000012
【図１１】
2007185849.tif 000013
【図１２】
2007185849.tif 000014
【図１３】
2007185849.tif 000015
【図１４】
2007185849.tif 000016
【図１５】
2007185849.tif 000017
【図１６】
2007185849.tif 000018
【図１７】
2007185849.tif 000019
【図１８】
2007185849.tif 000020
【図１９】
2007185849.tif 000021
【図２０】
2007185849.tif 000022